(57)【特許請求の範囲】
【請求項１】
トルクレンチ本体の断面が六角形である六角棒トルクレンチにおいて、
トルクレンチ本体の軸心に対して直角方向に、スプリング支持用孔がトルクレンチ本体の先端寄りに設けられ、
他方、略C字形のスプリングであって、その開口部の対向側がスプリング主体部であり、開口部の両側にスプリング支持用孔との隣接部があり、スプリング主体部と両側の隣接部との境にキャップスクリュー側接触部がそれぞれ設けられ、
これらのキャップスクリュー側接触部のうち、少なくとも、その１個のキャップスクリュー側接触部がトルクレンチ本体のスプリング支持用孔から若干飛び出るようにスプリング支持用孔に弾装されてなることを特徴とする六角棒トルクレンチ。
【請求項２】
トルクレンチ本体の断面が六角形である六角棒トルクレンチにおいて、
トルクレンチ本体の軸芯に対して直角方向に、スプリング支持用孔がトルクレンチ本体の先端寄りにトルクレンチ本体を貫通して設けられ、
他方、略C字形のスプリングであって、その開口部の対向側がスプリング主体部であり、開口部の両側にスプリング支持用孔との隣接部があり、スプリング主体部と両側の隣接部との境にキャップスクリュー側接触部がそれぞれ設けられ、
それらのキャップスクリュー側接触部が、それぞれ、トルクレンチ本体の支持用孔から若干飛び出るように、スプリング支持用孔に弾装されてなることを特徴とする六角棒トルクレンチ
【請求項３】
スプリング支持用孔を形成する壁面において、トルクレンチ本体の先端寄り、および、その先端寄りの対向側に位置する壁面、少なくとも、何れかの壁面に、トルクレンチ本体の軸芯に対して直角方向に溝が設けられ、
略C字形のスプリング主体部、および、開口部の両側にある隣接部のうち、何れかが前記の溝に支持されてなることを特徴とする、請求項１，または請求項２記載の六角棒トルクレンチ
【請求項４】
スプリング支持用孔が設けられてなるトルクレンチ本体の先端部分の、軸芯に対して直角方向の断面が略六角形で、軸芯に対して平行の断面が略球状体であることを特徴とする請求項１，請求項２、または請求項３記載の六角棒トルクレンチ
【請求項５】
トルクレンチ本体の断面が六角形である六角棒トルクレンチにおいて、
トルクレンチ本体の軸心に対して直角方向に、スプリング支持用孔がトルクレンチ本体の先端寄りにトルクレンチ本体を貫通して設け、さらに、トルクレンチ本体の軸心に対して、直角な先端面の略中央にトルクレンチ本体の軸心に平行な孔を、前記軸心に直角な孔まで貫通して設ける。
他方、略C字形のスプリングであって、その開口部の対向側がスプリング主体部であり、主体部の中央部を開口部側と反対方向に突起部をもうけ、開口部の両側にスプリング支持用孔との隣接部があり、スプリング主体部と開口部の両側の隣接部との境にキャップスクリュー側接触部がそれぞれ設けられ、
スプリング主体部を六角棒トルクレンチの先端側に向けて、キャップスクリュー側接触部が、それぞれ、トルクレンチ本体の支持用孔から若干飛び出るように、スプリング支持用孔に弾装されてなることを特徴とする請求項１，請求項３、または請求項４記載の六角棒トルクレンチ
【発明の詳細な説明】
【０００１】
【発明が属する技術分野】
この発明は、手動工具のトルクレンチ（以下断りのない限り単に「レンチ」と称する）に関する。いわゆる六角棒トルクレンチや六角棒ビット、Ｔ型ハンドル六角棒スパナ、六角棒ドライバーなどの工具に関する。
【０００２】
【従来の技術】
この種の六角棒トルクレンチに関する先行技術は少なくないが、この発明の先行技術として実開昭６２−１８７４号公報に記載された考案が知られている。
この従来例は、レンチ本体が断面六角形である六角棒レンチであって、レンチ本体の軸芯と直角方向の端面にその端面から他側に向け、軸芯方向にスプリングを支持するスリット状の支持用孔がレンチ本体の先端寄りに設けられるとともに、支持用孔の中央部の他側に円形のスプリング用の保持孔が設けられ、他方、一側の開口部に隣接して一対の鈍角部を備え、開口部に対向させて他側に略楕円形の保持部を備えてなるスプリングが設けられ、スプリングの保持部がレンチ本体の前記したスプリング用の保持孔に挿入されるとともに接着剤を介して保持され、前記したスプリングの一対の鈍角部がスリット状の支持用孔から若干飛び出るように弾装されたものである。
【０００３】
したがって、従来例は上記の構成であるから、ビス類の六角孔へレンチを挿入させる場合、スプリングは内側に向けて圧縮されるからレンチを六角孔へ挿入し易い。
【０００４】
また、レンチを六角孔へ挿入した後はスプリングが常時復元して伸長しようとするから、スプリングが六角孔を形成する壁面に圧接するのでビス類とレンチの保持状態は比較的安定して保持される。
【０００５】
レンチを六角孔から外す場合ば、レンチの引き出し応力を受けてスプリングが圧縮されるから、レンチを六角孔から外し易いということが期待できるで点で評価できる。
【０００６】
他方、スプリングを支持するスリット状の支持用孔は、レンチ本体の軸芯と直角方向の端面が開放されているから、支持用孔に弾装されたスプリングの開口部側の端部は自由状態にある。
【０００７】
したがって、レンチが六角孔内に挿入された状態において、スプリングのレンチ本体の開口部側はレンチ本体の軸芯方向に向けて伸長するおそれを回避できないので、スプリングの鈍角部側が内側に向けて圧縮するおそれがある。
【０００８】
この結果、スプリングの鈍角部側が六角孔の壁面との接触状態を解除するおそれがあり、よって、レンチ本体とビス類との保持状態の確実性に欠けた。
【０００９】
その上、従来例は、前記したとおり軸芯方向にスプリングを支持するスリット状の支持用孔がレンチ本体の先端寄りに設けられているから、スリット状の支持用孔の両側に位置するレンチ本体が支持用孔側に向けて撓むおそれがあるため、よって使用時に回転によるトルクの低下を招くおそれがあった。
【００１０】
また、スプリングの他側は略楕円形の保持部をスプリング用の保持孔に挿入されるとともに接着剤を介して保持されているから、接着剤の劣化により保持が比較的短時間に損なわれるおそれがあり、しかもレンチ本体に保持孔を設けることが必要であって、その保持作業が煩雑であることも否定できないほか、構造が複雑化するなどの欠点があった。
【００１１】
【発明が解決しようとする課題】
この発明は上記の従来例の問題点を解決しようとするものであって、六角棒トルクレンチとキャップスクリューなどの六角孔との保持状態の確実化を図ることにある。
この発明の目的は上記のほか、レンチ本体をキャップスクリューなどの六角孔へ挿入し易くすることにある。
さらに他の目的は、構造を従来例に比較して一層簡略化し、六角棒トルクレンチとキャップスクリューなどの六角孔との保持状態の確実化を図ることにある。
【００１２】
【課題を解決するための手段】
この発明は、上記の目的を達成するため、請求項１記載の六角棒トルクレンチの発明は、トルクレンチ本体が断面六角形である六角棒トルクレンチにおいて、
トルクレンチ本体の軸芯に対して直角方向にスプリング支持用孔がトルクレンチ本体の先端寄りに設けられ、他方、略Ｃ字形のスプリングであって、その開口部の対向側にスプリング主体部が、開口部の両側に隣接部が、スプリング主体部と両側の隣接部との境にキャップスクリュー側接触部がそれぞれ設けられ、
これらのキャップスクリュー側接触部のうちその少なくとも１個のキャップスクリュー側接触部がトルクレンチ本体のスプリング支持用孔から若干飛び出るようにスプリング支持用孔に弾装されてなることを特徴とするものである。
【００１３】
この明細書において、キャップスクリュー側接触部とは、スプリング支持用孔に支持されたスプリングがキャップスクリュー、ビス類や六角ボルトの六角孔への挿入時に六角孔の壁面と接するスプリングの一部であって、円弧状以外の形態も合む。
【００１４】
請求項２記載の六角棒トルクレンチの発明は、トルクレンチ本体が断面六角形である六角棒トルクレンチにおいて、トルクレンチ本体の軸芯に対して直角方向にスプリング支持用孔がトルクレンチ本体の先端寄りにトルクレンチ本体を貫通して設けられ、他方、略Ｃ字形のスプリングであって、その開口部の対向側にスプリング主体部が、開口部の両側に隣接部が、スプリング主体部と両側の隣接部との境にキャップスクリュー側接触部がそれぞれ設けられ、これらのキャップスクリュー側接触部がそれぞれトルクレンチ本体の支持用孔から若干飛び出るようにスプリング支持用孔に弾装されてなることを特徴とするものである。
【００１５】
この明細書において、スプリングの開口部の両側の隣接部とは、スプリング支持用孔に支持されたスプリングの全体のうち、スプリング支持用孔に接する部分のことであり、円弧状の形態以外も含む。
【００１６】
請求項３記載の六角棒トルクレンチの発明は、請求項１または２記載の発明ににおいて、スプリング支持用孔を形成する壁面において、トルクレンチ本体の先端寄りおよびその先端寄りから内側に位置する前記の壁面の少なくとも何れかの壁面であって、トルクレンチ本体の軸芯に対して直角方向に溝が設けられ、
略Ｃ字形のスプリングのスプリング主体部および開口部の両側の隣接部のうちその何れかが前記の溝に支持されてなることを特徴とするものである。
【００１７】
請求項４記載の六角棒トルクレンチの発明は、請求項１、２または３記載の発明ににおいて、スプリング支持用孔が設けられてなるトルクレンチ本体の先端部分が断面略六角形の略球状体であることを特徴とするものである。
【００１８】
請求項５記載の六角棒トルクレンチの発明は、トルクレンチ本体が断面六角形である六角棒トルクレンチにおいて、
トルクレンチ本体の軸芯と直角方向の一端の中央部からトルクレンチ本体の軸芯方向であって、かつ他側にかけてスリットが設けられ、スリットの他側端を基準にして、スリットの少なくとも片側に位置するトルクレンチ本体が外側に向けて拡張されてなることを特徴とするものである。
【００１９】
【発明の実施の形態】
この発明の実施の形態は、以下に説明する。
実施の形態その１について
図１ないし図３を参照して説明する。
六角棒トルクレンチ３４の本体３４ａは知られるように断面六角形である。
この実施例では、レンチ本体３４ａの先端部３７は六角形ではあるものの、図３を参照して明らかなように、使用時にレンチ本体３４ａの先端部３７をキャップスクリュー５の六角孔に任意の方向から挿入でき、かつ任意の方向においても六角棒トルクレンチ３４を回転させることができるよう略球状に形成されているが、略球状に形成することをこの発明が必須とするものではない。
【００２０】
レンチ本体３４ａの先端寄りに後述するスプリング３５を支持するためにレンチ本体３４ａの先端部３７にレンチ本体３４ａの軸芯４２に対して直角方向にスプリング支持用孔２がレンチ本体３４ａの先端部３７を貫通して設けられている。
この発明の実施の形態では、スプリング支持用孔２がレンチ本体３４ａを貫通して設けられているが、必ずしも貫通させることなくスプリング支持用孔２の一方が閉鎖されることも発明者は予定している（図８などを参照）。
【００２１】
他方、前記したスプリング支持用孔２に挿入されるスプリング３５は略Ｃ字形を呈しているものであって、その開口部３５ａの対向側にスプリング主体部３８が、開口部３５ａの両側に隣接部３９、４０が、スプリング主体部３８と隣接部３９、４０との境にキャップスクリュー５の六角孔へこのレンチ３４を挿入したとき、その孔の内面に接触するキャップスクリュー側接触部４３、４４が設けられてなるものである。
【００２２】
そして、略Ｃ字形のスプリング３５の前記した両側のキャップスクリュー側接触部４３、４４がスプリング支持用孔２から若干飛び出るようにそのスプリング支持用孔２に弾装されている。
【００２３】
この場合、好ましくは両側のキャップスクリュー側接触部４３、４４がスプリング支持用孔２から若干飛び出るようにそのスプリング支持用孔２に弾装されているが、両側のキャップスクリュー側接触部４３、４４のうち何れか一方のキャップスクリュー側接触部のみをスプリング支持用孔２から若干飛び出るようにそのスプリング支持用孔２に弾装させることも予定されている。
【００２４】
また、スプリング支持用孔２を形成する壁面２ａに、トルクレンチ本体３４ａの軸芯４２と直角方向に一対の溝２１、２１が対向して設けられている。
【００２５】
そして、略Ｃ字形のスプリング３５がスプリング支持用孔２に弾装される場合、略Ｃ字形のスプリング３５がスプリング支持用孔２に確実に弾装されるように略Ｃ字形のスプリング３５の開口部３５ａの対向側に位置するスプリング主体部３８が一側の溝２１に、隣接部３９、４０が他側の溝２１に支持されている。
【００２６】
もっとも、この実施の形態では、両側に溝２１、２１を設け、両側の隣接部３９、４０と開口部３５ａに対向するスプリング主体部３８をそれぞれ溝２１に支持させることを説明したが、両側の溝２１のうち一方の溝２１を省略し、両側の隣接部３９、４０とスプリング主体部３８の何れかを溝２１に支持させることも発明者は予定している。
【００２７】
したがって、図３を参照して明らかなように、この実施の形態のレンチ３４をキャップスクリュー５の六角孔へ挿入する場合、レンチ本体３４ａの先端が球状である場合は、キャップスクリュー５の軸芯４１とレンチ３４の軸芯４２が互いに異なる任意の角度をしていても挿入することや回転が可能である。
【００２８】
スプリング３５が弾装された六角棒トルクレンチ３４の先端部を使用時にビス類やキャップスクリュー５の六角孔へ挿入させることにより、若干飛び出ているスプリング３５はレンチの軸芯方向に対して直角方向にのみ圧縮され（図２の矢印Ｑ−Ｑを参照）、常時、伸張する作用を奏するから、両側のキャップスクリュー側接触部４３、４４はビス類やキャップスクリュー５の六角孔を形成する壁面に確実に圧接されるので、六角棒トルクレンチ３４と六角孔との保持状態の確実化を図ることができる。
【００２９】
また、スプリング支持用孔２は軸芯に対して直角方向にレンチ本体３４ａの先端寄りにレンチ本体３４ａを貫通して設けられ、先行技術のようにスリット状の支持用孔がレンチ本体の一端側が開放されていないから、レンチ本体３４ａを六角孔へ保持させたときにレンチ本体３４ａが内側に撓むおそれがないので、前記した従来例のように回転によるトルクの低下を招くおそれがない。
【００３０】
その上、この発明の六角棒トルクレンチ３４は、レンチ本体３４ａにスプリング支持用孔２が設けられ、その支持用孔２に略Ｃ形のスプリング３５を弾装することにより得られるから、従来の六角棒トルクレンチに比較して構成が簡単であるが、加工が容易である。
【００３１】
さらに、この六角棒トルクレンチ３４は、スプリング支持用孔２を形成する壁面において、トルクレンチ本体３４ａの先端寄り、およびその先端寄りから内側に位置する前記の壁面に、トルクレンチ本体３４ａの軸芯４２に対して直角方向に一対の溝２１、２１が対向して設けられ、略Ｃ字形のスプリング３５の開口部３５ａの両側の隣接部３９、４０が一側の溝２１に、該スプリング３５の開口部３５ａに対向するスプリング主体部３８が他側の溝２１にそれぞれ支持されてなるから、スプリング３５のスプリング主体部３８と開口部３５ａの両側の隣接部を結ぶ面は常時レンチ本体３４ａの軸芯４２方向と直角方向に設定される。
したがって、レンチ３４を六角孔へ挿入する際に、スプリング３５はトルクレンチ本体３４ａの軸芯４２方向に対して直角方向に圧縮され易くなるから、円滑に挿入することができる（図２の矢印Ｐ−Ｐを参照）。
【００３２】
なお、前記した溝２１を設ける代わりに図示を省略したが、断面円形のスプリング支持用孔を断面略楕円形にしてもよい。
この場合、スプリング３５を略楕円形のスプリング支持用孔に弾装することにより、スプリング主体部と開口部の両側の隣接部は、プリングの伸長作用により断面円形のスプリング支持用孔内の湾曲部で支持される結果、溝を設けた場合と同様な機能を期待できる。
【００３３】
さらには、図示を省略したが、断面四角または菱形のスプリング支持用孔を設けることにより、その角部の内側にスプリング主体部と開口部の両側の隣接部を支持するように弾装することによってもやはら前記した溝の場合と同様の機能を期待できる。
【００３４】
実施の形態その２について
図面４ないし図６を参照して説明する。
この形態は実施の形態その１とその構成の本質において相違は少ないから、相違する点について特に説明し、共通する構成および作用効果については実施の形態その１の説明を原則的に援用し、省略する。
以下の実施の形態３ないし１０についても同様に共通する点については援用し、相違する点について原則的に言及する。
【００３５】
レンチ本体１ａの先端寄りに実施の形態その１では六角形の球状部が設けられいたが、この実施の形態ではその球状部に相当するものがない点で基本的に相違する。
しかし、実施の形態その１と同様にレンチ本体１ａの先端寄りにスプリング支持用孔２が貫通して設けられている。
【００３６】
他方、略Ｃ字形のスプリング４の基本的構成は、実施の形態その１と変化は少なくなく、その開口部４ａの対向側にスプリング主体部３８が、開口部４ａの両側に隣接部６、６ａが、スプリング主体部３８と隣接部６、６ａとの境にキャップスクリュー５の六角孔へこのレンチ１を挿入したとき、その孔の内面に接触するキャップスクリュー側接触部８、９が設けられてなるものである。
そして略Ｃ字形のスプリング４がスプリング支持用孔２に挿入され、スプリング４の両側のキャップスクリュー側接触部８、９は僅かながらスプリング支持用孔２から飛び出るように支持されている。
【００３７】
この形態では、さらにレンチ本体１ａの長手方向と直角の一端面から前記したスプリング支持用孔２に対して直角方向に別のスプリング用支持孔３が設けられている。
【００３８】
他方、スプリング４の開口部４ａの対向側は外側に向けて突起されてレンチ側保持部７が設けられ、このレンチ側保持部７は前記したスプリング支持用孔２に対して直角方向に設けられた別のスプリング用支持孔３に臨ませてある。
そして、レンチ側保持部７に隣接してその両側には実施の形態その１のスプリング主体部３８と同様の機能を奏する保持部１７、１７ａが設けてある。
【００３９】
スプリング４のレンチ側保持部７が、レンチ１ａの軸芯方向に設けたスプリング用支持孔３に臨ませてある。
この形態においても、スプリング４をレンチ本体１ａの軸芯に対して平行方向になるように位置させることができるから、実施の形態その１において、両側の隣接部３９、４０を一側の溝２１に、スプリング主体部３８を他側の溝２１にそれぞれ支持させた場合と同様にレンチ１を六角孔へ挿入した際に、スプリング４がスプリング用支持孔２の円周方向及び軸芯に対して直角方向に回ることのないように配慮されている。
【００４０】
実施の形態その３について
図面７ないし図９を参照して説明する。
レンチ本体１ａの先端寄りにスプリング支持用孔１３がレンチ本体１ａを貫通することなく、有底状のいわゆるめくら孔として設けられている。
【００４１】
この形態では、実施の形態その２に同様にレンチ本体１ａの長手方向と直角方向の一端面から前記したスプリング支持用孔１３に対して直角方向に別のスプリング用支持孔１４が設けられている。
【００４２】
そして、スプリング１０の高さは実施の形態その１および２に示されるものに比較して低いものであり（図示のスプリング支持用孔１３の高さよりやや高い）、略Ｃ字形を呈するものではあるが、開口部１０ａから隔たって隣接する一方のキャップスクリュー側接触部１５は円弧状であり、他方のレンチ側保持部１６は開口部１０ａに近接して直線状に設けられている。
【００４３】
そして、開口部１０ａに隣接してその外側の円弧状のキャップスクリュー側接触部１５側に隣接部１１が設けられている。
【００４４】
また、開口１部１０ａの対向側つまり前記した直線状に設けられたレンチ側保持部１６側に、外側に向けて突起されたレンチ側保持部１２が設けられ、キャップスクリュー側接触部１５とレンチ側保持部１２との間にレンチ側保持部１８が設けられている。
【００４５】
前記したレンチ本体１ａのスプリング支持用孔１３にスプリング１０に設けられた開口部１０ａから隔たって隣接するキャップスクリュー側接触部１５が支持孔１３から飛び出るように支持され、他方の直線状なレンチ側保持部１６はスプリング支持用孔１４の壁面に当接されている。
【００４６】
そして、外側に向けて突起されたレンチ側保持部１２は、スプリング支持用孔１３に対して直角方向に設けられた別のスプリング用支持孔１４に臨ませてある。
さらに、前記したレンチ側保持釦１１、１８はそれぞれ支持孔１３の壁面に当接されている。
【００４７】
スプリング１０のレンチ側保持部１２が、レンチ１ａの軸芯方向に設けたスプリング保持孔１４に臨ませてあるから、この形態においても、実施の形態その１により得られる利点を奏することのほか、スプリング１０をレンチ本体１ａの軸芯と平行方向になるように位置させることができるから、実施の形態その１において、両側のレンチ側保持部３９、４０を一側の溝２１に、該スプリング３５の開口部３５ａに対向するレンチ側保持部３８を他側の溝２１にそれぞれ支持させた場合と同様にレンチ１を六角孔へ挿入する際に、スプリング１０を円滑に挿入し易い利点が得られる。
【００４８】
さらに、レンチ側保持部１２が別のスプリング用支持孔１４に臨ませてあるから、スプリング１０の回り止めの機能を奏する利点もある。
【００４９】
また、この際、スプリング１０のレンチ側保持部１１、１８はスプリング支持用孔１３を形成する壁面に接し、レンチ側保持部１６を別のスプリング用支持孔１４の壁面に当接させるから、スプリング１０をレンチ本体１ａの軸芯と直角方向にスプリングのたわみを制御できる。符号１９はキャップスクリュー側接触部１５の対向側のキャップスクリューの六角孔である。
レンチ本体１ａはスプリング１０に押されてキャップスクリューの内壁１９と密着する、よってキャップスクリュー５の軸芯とレンチ本体１ａの軸芯の平行度が良くなる。
【００５０】
実施の形態その４について
図面１０ないし図１２を参照して説明する。
この形態では、実施の形態その３と同様にレンチ本体１ａの軸芯と直角方向に有底のいわゆるめくら孔であるスプリング用支持孔２０が設けられ、スプリング用支持孔２０の開口縁から底面に向けて途中までトルクレンチ本体１ａの軸芯と直角方向に一対の溝２１、２１が対向して設けられている。
【００５１】
そして、略Ｃ字形のスプリング２２の一方のキャップスクリュー側接触部２７がスプリング用支持孔２０から僅かに飛び出るように支持され、他方に設けられたレンチ側保持部２８はスプリング用支持孔２０の底面に支持されている。
【００５２】
スプリング２２の開口部２２ａの両側の隣接部２３、２５のうち一方の隣接部２３はレンチ本体１ａの軸芯と直角方向に設けられた溝２１に支持され、他方の隣接部２５はスプリング用支持孔２０の底面側の壁面２３ａに支持されている。
【００５３】
他方、スプリング２２の開口部２２ａと対向側に設けられた２個のレンチ側保持部２４、２６のうち（図面上の上下）、スプリング用支持孔２０の開口縁寄りのレンチ側保持部２４は前記した他方の溝２１に支持され、スプリング用支持孔２０の底面側のレンチ保持部２６はスプリング用支持孔２０の壁面２３ａに支持されている。
【００５４】
かくして、この実施の形態のレンチ１によっても実施の形態その１と同様の利点が得られる。符号２９はキャップスクリュー側接触部２７の対向側のキャップスクリューの六角孔である。
レンチ本体１ａはスプリング２２に押されてキャップスクリュー５の内壁２９と密着する。よってキャップスクリュー５の軸芯とレンチ本体１ａの軸芯の平行度が良くなる。
【００５５】
実施の形態その５について
図面１３および図１４を参照して説明する。
レンチ本体１ａの軸芯に対して直角方向に先に説明した有底のいわゆるめくら孔によるスプリング用支持孔２０が設けられ、スプリング用支持孔２０の中央部の底にレンチ本体１ａの軸芯方向に断面三角状の溝５２が設けられている。
【００５６】
他方、スプリング３５は略Ｃ字形のものであり、開口部３５ａに隣接されて一方にキャップスクリュー側接触部５５が、他方にスプリング用支持孔２０の底に設けられた断面三角状の溝５２に支持されるレンチ側保持部５３が設けられている。
さらに、スプリング３５の開口部３５ａの両側には円弧状に湾曲された隣接部５６、２５が設けられ、開口部３５ａの対向側にはほぼ直線状のスプリング主体部２６が設けられている。
【００５７】
そして、レンチ本体１ａのスプリング用支持孔２０に前記したキャップスクリュー側接触部５５が支持孔２０から若干飛び出るように支持され、レンチ側保持部５３がスプリング用支持孔２０の底にレンチ本体１ａの軸芯方向と平行に設けられた断面三角状の溝５２に支持され、スプリング３５の開口部３５ａの両側には円弧状に湾曲された隣接部５６、２５は支持孔２０の側面に支持され、また、開口部３５ａの対向側に設けられた直線状のスプリング主体部２６は支持孔２０の壁面に支持されている。
【００５８】
前記した溝５２は図示の例が断面三角形であるが、その断面形態は問わない。
【００５９】
かくして、この実施の形態によっても基本的に実施の形態その１の奏する利点が得られる。
【００６０】
実施の形態その６について
図面１５および図１６を参照して説明する。
この実施の形態のレンチ本体３４ａは実施の形態その１と相違しない。
【００６１】
したがって、レンチ本体３４ａの先端部は球状に設けられている。
レンチ本体３４ａの先端寄りにスプリング支持用孔２がレンチ本体３４ａの軸芯に対して直角方向に設けられている。
【００６２】
そして、スプリング支持用孔２を形成する壁面２ａに沿わせて両側にレンチ本体３４ａの軸芯と直角方向に溝２１、２１が設けられている。
【００６３】
他方、スプリング３６は略Ｃ字形を呈するものの、他の実施の形態のスプリングの形態と多少の相違がある。
両側にキャップスクリュー側接触部３６ａ、３６ａが設けられ、開口部３６ｂの両側に隣接部３９、４０が設けられていることは、実施の形態その１のスプリングと同じである。
【００６４】
他方、開口部３６ｂの対向側には他の例と反対に内側に湾曲された凸部４７が形成され、凸部４７の両側にレンチ側保持部４５、４６がほぼ直線状に設けられている。
【００６５】
そして、レンチ本体３４ａのスプリング支持用孔２にスプリング３６の両側のキャップスクリュー側接触部３６ａ、３６ａが支持用孔２から若干飛び出るように支持され、前記した隣接部３９、４０が一側の溝２１に、レンチ側保持部４５、４６が他側の溝２１にそれぞれ支持されている。
開口部３６ｂの対向側のレンチ側保持部４５，４６が凸部４７で二分されているので、キャップスクリュー側接触部３６ａのレンチ３４ａの軸芯に直角方向の圧力（矢印Ｐ方向）に対する弾性力が実施の形態１のスプリング３５のスプリング主体部３８より優れている。
図１６はスプリング支持孔２が加工されてない先端略球状の六角棒トルクレンチの斜視図であり、先端略球状の六角棒トルクレンチを理解し易くするための参考図である。
【００６６】
かくして、この実施の形態も実施の形態その１の奏する利点を有する。
【００６７】
実施の形態その７について
図面１７、図１８および図１９を参照して説明する。
この実施の形態のレンチ本体３４ａは実施の形態その１と相違しない。
レンチ本体３４ａの先端部は六角の球状体であり、この球状部分に実施の形態その１と同様にスプリング支持用孔２が設けられている。
【００６８】
スプリング支持用孔２の壁面に一対の溝２１、２１が設けられているが、実施の形態その１と相違しない。
【００６９】
実施の形態その１と僅かに相違する点は、図１８を参照して明らかなように、スプリング３５の形態が略Ｃ字形を呈するものの、開口部３５ａの両側の隣接部３９、４０の開口部３５ａ側が内側に湾曲されていることと、開口部３５ａの対向側のスプリング主体部３８の中央部を境にして鈍角状に僅かながら内側に向けて湾曲されていることである。
【００７０】
そして、このスプリング３５はレンチ本体３４ａのスプリング支持用孔２に弾装され、スプリング主体部３８とその両側の隣接部３９、４０との境に設けられたキャップスクリュー側接触部４４、４３がスプリング支持用孔２から僅かに飛び出るように挿入されている。
また、隣接部３９、４０およびスプリング主体部３８の中央部に形成された突起部３８ａがそれぞれ溝２１、２１に臨ませてあって、スプリング３５がスプリング支持用孔２内で外れたり回らないように配慮されている。
【００７１】
実施の形態その８について
図２０、図２１および図２２を参照して説明する。
この実施の形態は、実施の形態その７と相違しない。
実施の形態その７では、レンチ本体３４ａの先端部は六角の球状体であったものが、この実施の形態その８では、球状部分のない点で相違することのほか構成は一致しているのでその説明は実施の形態その１やその７の説明を援用し、省略する。
【００７２】
実施の形態その９について
図２３、図２４および図２５を参照して説明する。
この発明の実施の形態は実施の形態その１と比較してスプリング６０の構成のほか相違しない。
【００７３】
そこで、相違する点について言及し、共通する構成については、実施の形態その１の説明を援用し、省略する。
【００７４】
スプリング６０の構成は、図２４を参照して明らかなように、略Ｓ字形を呈するものである。
その形態から両側に開口部６２、６２が設けられ、開口部６２、６２の両側にはそれぞれ隣接部６４、６４が形成されている。
そして、開口部６２、６２と平行側にキャップスクリュー側接触部６６、６６がそれぞれ形成されている（図面上の上下）。
【００７５】
そして、このスプリング６０がレンチ本体３４ａのスプリング支持用孔２に弾装され、キャップスクリュー側接触部６６、６６がスプリング支持用孔２から僅かに飛び出るように挿入されている。
また、隣接部６４、６４、６４、６４がそれぞれ溝２１、２１に臨ませてあって、スプリング６０がスプリング支持用孔２から外れたり、回らないように配慮されている。キャップスクリュー側接触部６６、６６の、レンチ３４ａの軸芯に対して直角方向の圧力に対する弾力性が、実施の形態１のスプリング３５より優れている。
【００７６】
実施の形態その１０について
図２６、図２７および図２８を参照して説明する。
この発明の実施の形態は実施の形態その１および実施の形態その９と比較してスプリング支持用孔２が設けられたレンチ本体３４ａの構成のほか相違しない。
【００７７】
この実施の形態その１０では、レンチ本体３４ａの先端部に球状部分のない点で相違することのほか構成は一致しているのでその説明は実施の形態その１やその９の説明を援用し、省略する。
【００７８】
実施の形態その１１について
図面２９および図３０を参照して説明する。
トルクレンチ本体１ａの軸芯と直角方向の一端面の中央部からトルクレンチ本体１ａの軸芯方向であって、かつ他側にかけてスリット４８が設けられ、スリット４８の他側端を基準にしてスリット４８の両側に半截されたトルクレンチ本体１ａが図に示されるようにＨ方向に向けて徐々に拡張されている。
【００７９】
また、使用時における応力の集中を回避するため、スリット４８の他側端には逃げ孔４９を断面円形に設けることも発明者は予定している。
【００８０】
かくして、この実施の形態では、スリット４８の両側のレンチ本体１ａはスリット４８の他側端を基準にして外側に向けて徐々に拡張されているから、スリット４８部分に位置するレンチ本体１ａは外側から応力を受けることによりスリット４８の幅を狭くするように圧縮されるものの、他方、常時復元することにより伸長する作用を奏する。
【００８１】
したがって、レンチ本体１ａのスリット４８部分をビス類などの六角孔へ挿入することにより、スリット４８部分に位置するレンチ本体１ａが復元することにより伸長する作用を奏する結果、ビス類などの六角孔とレンチ本体１ａは確実に保持される。
【００８２】
その他、前記した形態の別例として図示を省略したが、前記した形態においてスリットを拡張させることなく、レンチ本体の先端部のスリット面に対して直角方向の径を他側の径に比較して太くすることによっても同じ機能が得られる。
【図面の簡単な説明】
【図１】この発明の実施の形態その１の中間部分を省略した斜視図である。
【図２】図１のＥ−Ｅ線の断面図である。
【図３】この発明の実施の形態その１の使用状態を示す断面図である。
【図４】この発明の実施の形態その２の中間部分を省略した斜視図である。
【図５】図４のＡ−Ａ線の断面図である。
【図６】この発明の実施の形態その２の使用状態を示す断面図である。
【図７】この発明の実施の形態その３の中間部分を省略した斜視図である。
【図８】図７のＢ−Ｂ線の断面図である。
【図９】この発明の実施の形態その３の使用状態を示す断面図である。
【図１０】この発明の実施の形態その４の中間部分を省略した斜視図である。
【図１１】図１０のＣ−Ｃ線の断面図である。
【図１２】この発明の実施の形態その４の使用状態を示す断面図である。
【図１３】この発明の実施の形態その５の要部の断面図である。
【図１４】図１３のＤ−Ｄ線の断面図である。
【図１５】この発明の実施の形態その６の要部の断面図である。
【図１６】先端が略球状である従来の六角棒トルクレンチの中間部分を省略した斜視図である。
【図１７】この発明の実施の形態その７の中間部分を省略した斜視図である。
【図１８】図１７の要部の断面図である。
【図１９】この発明の実施の形態その７の使用状態を示す断面図である。
【図２０】この発明の実施の形態その８の中間部分を省略した斜視図である。
【図２１】図２０の要部の断面図である。
【図２２】この発明の実施の形態その８の使用状態を示す断面図である。
【図２３】この発明の実施の形態その９の中間部分を省略した斜視図である。
【図２４】図２３の要部の断面図である。
【図２５】この発明の実施の形態その９の使用状態を示す断面図である。
【図２６】この発明の実施の形態その１０の中間部分を省略した斜視図である。
【図２７】図２６の要部の断面図である。
【図２８】この発明の実施の形態その１０の使用状態を示す断面図である。
【図２９】この発明の実施の形態その１１の中間部分を省略した斜視図である。
【図３０】この発明の実施の形態その１１の使用状態を示す断面図である。
【符号の説明】
１  六角棒トルクレンチ
１ａ  六角棒トルクレンチ本体
２  スプリング支持用孔
２ａ  スプリング支持用孔を形成する壁面
３  スプリング支持用孔
４  略Ｃ字形のスプリング
４ａ  略Ｃ字形のスプリングの開口部
６  隣接部
６ａ  隣接部
５  キャップスクリュー
７  レンチ側保持部
８  キャップスクリュー側接触部
９  キャップスクリュー側接触部
１０  略Ｃ字形のスプリング
１０ａ  スプリングの開口部
１１  隣接部
１２  レンチ側保持部
１３  スプリング支持用孔
１４  スプリング支持用孔
１５  キャップスクリュー側接触部
１６  レンチ側保持部
１７  保持部
１７ａ  保持部
１８  レンチ側保持部
１９  キャップスクリューの六角孔
２０  スプリング支持用孔
２１  溝
２２  スプリング
２３ａ  壁面
２３  隣接部
２４  レンチ側保持部
２５  隣接部
２６  レンチ側保持部
２７  キャップスクリュー側接触部
２８  レンチ側保持部
２９  キャップスクリューの六角孔
３４  六角棒トルクレンチ
３４ａ  六角棒トルクレンチ本体
３５  略Ｃ字形のスプリング
３５ａ  スプリングの開口部
３６ａ  六角孔側保持部
３７    六角棒トルクレンチ本体の先端部
３８  スプリングの主体部
３９  開口部の隣接部
４０  開口部の隣接部
４１  キャップスクリューの軸芯
４２  六角棒トルクレンチ本体の軸芯
４３  キャップスクリュー側接触部
４４  キャップスクリュー側接触部
４５  レンチ側保持部
４６  レンチ側保持部
４８  スリット
４９  逃げ孔
５２  溝
５３  レンチ側保持部
５５  キャップスクリュー側接触部
５６  隣接部
６０  略Ｓ字形のスプリング
６２  スプリングの開口部
６４  隣接部
６６  キャップスクリュー側接触部
【図１】
0004106821.tif 000002
【図２】
0004106821.tif 000003
【図３】
0004106821.tif 000004
【図４】
0004106821.tif 000005
【図５】
0004106821.tif 000006
【図６】
0004106821.tif 000007
【図７】
0004106821.tif 000008
【図８】
0004106821.tif 000009
【図９】
0004106821.tif 000010
【図１０】
0004106821.tif 000011
【図１１】
0004106821.tif 000012
【図１２】
0004106821.tif 000013
【図１３】
0004106821.tif 000014
【図１４】
0004106821.tif 000015
【図１５】
0004106821.tif 000016
【図１６】
0004106821.tif 000017
【図１７】
0004106821.tif 000018
【図１８】
0004106821.tif 000019
【図１９】
0004106821.tif 000020
【図２０】
0004106821.tif 000021
【図２１】
0004106821.tif 000022
【図２２】
0004106821.tif 000023
【図２３】
0004106821.tif 000024
【図２４】
0004106821.tif 000025
【図２５】
0004106821.tif 000026
【図２６】
0004106821.tif 000027
【図２７】
0004106821.tif 000028
【図２８】
0004106821.tif 000029
【図２９】
0004106821.tif 000030
【図３０】
0004106821.tif 000031